(57)【要約】      （修正有）【課題】ラミネート加工することにより書類をパラパラとめくることを妨げずに、書類を綴じるのに適した装置を提供する。【解決手段】主に、互いに少なくとも一方の側縁で接続された、２つの貼り合わせホイル（２）から成る、改善されたラミネート加工要素であって、前記ラミネート加工要素（１）が少なくとも一方の側縁に柔軟性のある材料製のストリップ（３）を備えていることを特徴とする改善されたラミネート加工要素である。一方で柔軟性のあるストリップと、他方で貼り合わせホイルと、の間で、接着剤等を追加することなく、固い接続が実現される。【選択図】図１
2006213060.tif 000002
【特許請求の範囲】
【請求項１】
主に、互いに少なくとも一方の側縁で接続された、２つの貼り合わせホイル（２）から成る、改善されたラミネート加工要素であって、前記ラミネート加工要素（１）が少なくとも一方の側縁に柔軟性のある材料製のストリップ（３）を備えていることを特徴とする改善されたラミネート加工要素。
【請求項２】
柔軟性のある材料の当該ストリップ（３）が、当該貼り合わせホイル（２）の２つの対向する側縁の間に少なくとも部分的に備えられていることを特徴とする請求項１に記載の改善されたラミネート加工要素。
【請求項３】
当該ストリップ（３）が、当該貼り合わせホイル（２）の間に全体的に伸びていることを特徴とする請求項２に記載の改善されたラミネート加工要素。
【請求項４】
柔軟性のある材料製の当該ストリップ（３）が、接着剤により当該ラミネート加工要素に固定されていることを特徴とする請求項１に記載の改善されたラミネート加工要素。
【請求項５】
柔軟性のある材料製の当該ストリップ（３）が、接着テープにより当該ラミネート加工要素に固定されていることを特徴とする請求項１に記載の改善されたラミネート加工要素。
【請求項６】
柔軟性のある材料製の当該ストリップ（３）が、機械的手段により当該ラミネート加工要素に固定されていることを特徴とする請求項１に記載の改善されたラミネート加工要素。
【請求項７】
柔軟性のある当該ストリップ（３）が、接着剤で良く接着される材料製であることを特徴とする請求項１から６の中のいずれか１つに記載の改善されたラミネート加工要素。
【請求項８】
柔軟性のある当該ストリップ（３）が、ラミネート加工できる材料製であることを特徴とする請求項１から７の中のいずれか１つに記載の改善されたラミネート加工要素。
【請求項９】
当該ストリップ（３）が、ラミネート加工されることにより当該ラミネート加工要素（１）に固定されることを特徴とする請求項８に記載の改善されたラミネート加工要素。
【請求項１０】
当該ストリップ（３）が紙製であることを特徴とする請求項１から９の中のいずれか１つに記載の改善されたラミネート加工要素。
【請求項１１】
当該ストリップ（３）が、当該ラミネート加工要素（１）の全体の幅にわたって伸びていることを特徴とする請求項１から１０の中のいずれか１つに記載の改善されたラミネート加工要素。
【請求項１２】
当該ストリップ（３）が、当該貼り合わせホイル（２）の側縁を１〜２０ｍｍ越える長さにわたって伸びていることを特徴とする請求項１から１１の中のいずれか１つに記載の改善されたラミネート加工要素。
【発明の詳細な説明】
【技術分野】
【０００１】
本発明は改善されたラミネート加工要素に関する。
【背景技術】
【０００２】
書類をラミネート加工する為のラミネート加工要素は周知であり、当該ラミネート加工要素は、一方の側縁で融合された２つの隣接するプラスチックホイル又はいわゆる貼り合わせホイルから成る。
【０００３】
そのような周知のラミネート加工要素の寸法は、ラミネート加工される書類に対して両面に当該プラスチックホイルが備えられている時、これらのホイルの縁はラミネート加工される書類の周辺端の全体にわたって、この周辺端を約４〜５ｍｍ越えて伸びている。
【０００４】
貼り合わされる前に、ラミネート加工される書類は当該ホイルの間に備えられ、その後、周知の方法で全体に圧力が上昇した温度で加えられ、その結果、当該ホイルの突出した縁が互いに固定され、その両面において油汚れ、ほこり、湿気等から保護される、硬質の全体が形成される。
【０００５】
そのような周知のラミネート加工要素は、特に通常のカラープリンターによって印刷された写真をラミネート加工する為に使用することに適しており、ラミネート加工することにより光沢のある仕上がりが提供され、結果として高品質の写真になる。
【発明の開示】
【発明が解決しようとする課題】
【０００６】
そのような周知のラミネート加工要素の欠点は、この書類が周知の方法で綴じ背に綴じられる場合、ラミネート加工された書類は非常に硬いので、この書類をパラパラめくることが困難なことである。
【０００７】
また、印画紙は既に比較的硬いので、ラミネート加工されていない写真が直接綴じ背に綴じられる時、パラパラめくることが困難な全体が形成され、さらに、これらの写真は油汚れ、ほこり、そして湿気にさらされる。
【０００８】
ラミネート加工された写真は、綴じ背に綴じられると折り曲げることが困難な、さらに硬質の全体が形成される点で不利である。
【０００９】
本発明は、書類をラミネート加工する為の装置であって、特に、ラミネート加工することにより書類をパラパラとめくることを妨げずに、書類を綴じるのに適した装置を提供することを目的とする。
【課題を解決するための手段】
【００１０】
この目的の為に、本発明は、主に、互いに少なくとも一方の側縁で接続された、２つの貼り合わせホイルから成る、改善されたラミネート加工要素であって、前記ラミネート加工要素が少なくとも一方の側縁に柔軟性のある材料製のストリップを備えている、改善されたラミネート加工要素に関する。
【００１１】
本発明によるそのような改善されたラミネート加工要素は、当該柔軟性のあるストリップを備えたラミネート加工された書類を綴じることが可能になり、綴じられたラミネート加工された書類を、その書類の硬さにより妨げられることなく、めくることができる点で有利である。
【００１２】
本発明による改善されたラミネート加工要素の好ましい実施態様では、柔軟性のある材料製の当該ストリップが、当該貼り合わせホイルの２つの対向する側縁の間に少なくとも部分的に備えられ、そして、ストリップが部分的に当該貼り合わせホイルの外側に伸びるように、このストリップがラミネート加工されることによりラミネート加工要素に固定される。
【００１３】
このことは、一方で柔軟性のあるストリップと、他方で貼り合わせホイルと、の間で、接着剤等を追加することなく、固い接続が実現されるという点で有利である。
【発明を実施するための最良の形態】
【００１４】
本発明の特徴をより良く説明する為に、本発明による改善されたラミネート加工要素の下記の実施態様について、何ら限定するものではなく、単なる例として、添付の図面を参照にして説明する。
【００１５】
図１及び２は、主に２つの貼り合わせホイル２と、ラミネート加工要素１の一方の側縁に固定された柔軟性のある材料製のストリップ３と、から成る本発明による改善されたラミネート要素を示し、この場合、このストリップ３は、貼り合わせホイル２の縁の間に一定の幅にわたって備えられ、その後、貼り合わせホイルの間にラミネート加工されている。
【００１６】
この場合、当該ストリップ３は、ストリップが部分的に当該貼り合わせホイル２の外側に伸びるような方法で、ラミネート加工要素１に固定されている。
【００１７】
この方法で、一方で当該ストリップ３と、他方で各々の貼り合わせホイル２と、の間での固い接続が、接着剤等を使用することなく形成される。
【００１８】
当該ストリップ３は、各々の貼り合わせホイル２の縁を１〜２０ｍｍの距離にわたって越えて伸びていることが好ましいが、必ずしもそうとは限らない。
【００１９】
この場合、当該ストリップ３はラミネート加工できる材料製である。
【００２０】
本発明による改善されたラミネート加工要素１の使用はとても簡単であり、図３及び４に図示されている。
【００２１】
シート４等をラミネート加工する為に、このシート４は、貼り合わせホイル２が当該シート４の周辺端全体にわたって、シートの周辺端を越えて伸びるように、貼り合わせホイル２の間に備えられる。
【００２２】
次に、周知の方法で圧力が、上昇した温度で、当該貼り合わせホイル２に加えられ、ラミネート加工された全体が得られる。
【００２３】
最後に、このラミネート加工要素１は、例えば、綴じ背５に備えられた溶融接着剤により、柔軟性のある当該ストリップ３により、ファイル等又は綴じ背５に綴じられることが可能である。
【００２４】
この場合、柔軟性のあるストリップ３は、使用される接着剤に良く接着する為に、紙等のような材料製であることが好ましい。
【００２５】
この方法で、柔軟性のある当該ストリップ３の存在のおかげで、硬質のシートにもかかわらず簡単にめくることのできる、例えば、フォトアルバム、メニュー、スクラップブック等の形状の、ラミネート加工された書類の綴じられた束を実現することができる。
【００２６】
柔軟性のあるストリップ３は多様な方法、例えば、接着剤又は接着テープにより、例えば止め金等のような機械的手段により、または柔軟性のあるストリップ３及びラミネート加工要素１の変形により、ラミネート加工要素１に固定することができることは明らかである。
【００２７】
柔軟性のある当該ストリップ３が、上述の、又は他の固定方法の１つ又は複数により、貼り合わせホイル２の一方にしか固定されないことは当然のことである。
【００２８】
上述の実施態様では、柔軟性のある当該ストリップ３はラミネート加工要素１の全体の幅にわたって伸びているが、当該ストリップはラミネート加工要素の一部にわたってのみ伸びていても、又はラミネート加工要素の幅よりも広く作られていてもよいことは明らかである。
【００２９】
当該ストリップ３が貼り合わせホイル２の間に全体的に伸びていることも、本発明によって排除されることではない。
【００３０】
本発明は決して、例としてあげられ、添付の図面に示された実施態様に限定されるものではなく、逆に、本発明による改善されたラミネート加工要素１は、本発明の特許請求の範囲を逸脱することなく、様々な形状及び寸法によって実施することができる。
【図面の簡単な説明】
【００３１】
【図１】本発明による改善されたラミネート加工要素を示す斜視図である。
【図２】図１の線II−IIに沿った断面図である。
【図３】本発明による綴じられたラミネート加工要素の束を示す図である。
【図４】図３の線IV−IVに沿った断面図である。
【符号の説明】
【００３２】
１  ラミネート加工要素
２  貼り合わせホイル
３  ストリップ
４  シート
５  綴じ背
【図１】
2006213060.tif 000003
【図２】
2006213060.tif 000004
【図３】
2006213060.tif 000005
【図４】
2006213060.tif 000006